(57)【特許請求の範囲】
【請求項１】
固定接点を含む固定接点部と、
前記固定接点に接触する可動接点を含む可動接点部と、
前記可動接点部を動作させることで、前記可動接点を前記固定接点に接触させる電磁石装置と、を有する電磁継電器であって、
前記電磁石装置は、
前記電磁石装置の鉄心面に対して吸着し、支点に対して回転運動することで前記可動接点部を動作させる接極子と、
前記接極子が前記鉄心面から離反するように、前記接極子が回転運動する際の支点を挟んで前記鉄心面と反対側の前記接極子の一部を押圧するヒンジばねと、
前記接極子の側面の外側を固定位置として、前記ヒンジばねの端部を固定する固定部材と、を有し、
前記固定部材は、
前記ヒンジばねの取り付けに際して、前記ヒンジばねを前記接極子の上方から下方に向かって移動させることで、前記ヒンジばねの端部を固定できるように構成されていることを特徴とする電磁継電器。
【請求項２】
前記固定部材は、前記支点よりも前記鉄心面の側を固定位置として前記ヒンジばねの端部を固定することを特徴とする請求項１に記載の電磁継電器。
【請求項３】
前記固定部材は、
前記ヒンジばねの取り付けに際して、前記ヒンジばねを前記接極子の上方から下方に向かって移動させる場合の移動方向と、前記ヒンジばねの端部を嵌合する場合の嵌合方向とが一致するように構成されていること特徴とする請求項２に記載の電磁継電器。
【請求項４】
前記ヒンジばねは、前記接極子の平面形状の外形に則して形成されていることを特徴とする請求項３に記載の電磁継電器。
【請求項５】
前記ヒンジばねの端部には、前記嵌合方向と反対方向の動きを規制する切り起こし部が設けられていることを特徴とする請求項４に記載の電磁継電器。
【請求項６】
前記ヒンジばねは、端部が前記接極子の一方の側面の外側において固定される第１のヒンジばねと、端部が前記接極子の他方の側面の外側において固定される第２のヒンジばねとを含むことを特徴とする請求項１に記載の電磁継電器。
【発明の詳細な説明】
【技術分野】
【０００１】
本発明は電磁継電器に関する。
【背景技術】
【０００２】
従来より、電気信号の入力に応じて接点の開閉を行う電磁継電器が広く普及している。一般に、電磁継電器は、固定接点部と、固定接点部に接触する可動接点部と、可動接点部を動作させるための電磁石装置とを備える。電磁石装置には、更に継鉄の端部を支点として回転運動する接極子が含まれており、接極子は、例えばヒンジばね等により所定方向に付勢されて取り付けられている（特許文献１参照）。
【先行技術文献】
【特許文献】
【０００３】
【特許文献１】特開２０１０−１２３５４５号公報
【発明の概要】
【発明が解決しようとする課題】
【０００４】
しかしながら、特許文献１のように、ヒンジばねを継鉄と可動接点部との間に配置する構成とすると、電磁継電器の組み立て作業時に作業者は接極子との干渉を回避しながらヒンジばねの取り付けを行う必要があり、組み立て作業が容易でないという問題がある。
【０００５】
本発明は上記課題に鑑みてなされたものであり、組み立て容易な電磁継電器を提供することを目的とする。
【課題を解決するための手段】
【０００６】
本発明の実施形態に係る電磁継電器は、以下のような構成を有する。すなわち、
固定接点を含む固定接点部と、
前記固定接点に接触する可動接点を含む可動接点部と、
前記可動接点部を動作させることで、前記可動接点を前記固定接点に接触させる電磁石装置と、を有する電磁継電器であって、
前記電磁石装置は、
前記電磁石装置の鉄心面に対して吸着し、支点に対して回転運動することで前記可動接点部を動作させる接極子と、
前記接極子が前記鉄心面から離反するように、前記接極子が回転運動する際の支点を挟んで前記鉄心面と反対側の前記接極子の一部を押圧するヒンジばねと、
前記接極子の側面の外側を固定位置として、前記ヒンジばねの端部を固定する固定部材と、を有し、
前記固定部材は、
前記ヒンジばねの取り付けに際して、前記ヒンジばねを前記接極子の上方から下方に向かって移動させることで、前記ヒンジばねの端部を固定できるように構成されていることを特徴とする。
【発明の効果】
【０００７】
本発明の各実施形態によれば、組み立て容易な電磁継電器を提供することが可能となる。
【図面の簡単な説明】
【０００８】
【図１】電磁継電器の全体構成を示す図である。
【図２】ヒンジばねの構成を示す図である。
【図３】ヒンジばねの接極子に対する付勢位置、付勢方向、電磁石装置における固定位置について説明するための図である。
【図４】電磁継電器の側面図である。
【図５】本実施形態に係るヒンジばねを用いた場合の利点を説明するための図である。
【図６】ヒンジばねの取り付け方法の詳細を説明するための図である。
【図７】ヒンジばねの詳細形状を説明するための図である。
【図８】ヒンジばねの固定部を嵌合部に嵌合させた様子を示す図である。
【発明を実施するための形態】
【０００９】
以下、本発明の各実施形態について添付の図面を参照しながら説明する。なお、本明細書及び図面において、実質的に同一の機能構成を有する構成要素については、同一の符号を付することにより重複した説明を省く。
【００１０】
［第１の実施形態］
＜１．電磁継電器の全体構成＞
はじめに、本実施形態に係る電磁継電器の全体構成について説明する。図１は、外カバーを取り外した状態の電磁継電器の全体構成を示す図である。
【００１１】
図１に示すように、電磁継電器１００は、固定接点部１１０と、可動接点部１２０と、電磁石装置１３０とを有しており、固定接点部１１０と、可動接点部１２０と、電磁石装置１３０とは、ベースモールド１４０と底板１５０とにより固定されている。また、底板１５０の下側には、端子１６０、１７０が突出している。
【００１２】
固定接点部１１０は、２つの固定接点ばね１１１と２つの固定接点１１２とを有し、２つの固定接点ばね１１１は、２つの端子１６０の一方とそれぞれ接続されている。同様に、可動接点部１２０も２つの可動接点ばねと２つの可動接点とを有し、それぞれが２つの固定接点ばね１１１及び２つの固定接点１１２と対向して配されている。２つの可動接点ばねは、保持部材１３７を介して接極子１３１に接続されている。
【００１３】
電磁石装置１３０は、接極子１３１、鉄心１３２、巻線１３３、継鉄１３４、ヒンジばね１３５、消弧用ヨーク１３６、保持部材１３７を有する。
【００１４】
接極子１３１は、継鉄１３４の上端部を支点として回転運動するよう構成されている。接極子１３１が継鉄１３４の上端部を支点として回転運動すると、保持部材１３７を介して接極子１３１に接続された可動接点部１２０は、可動接点と固定接点とが接触する接触位置と、可動接点と固定接点とが非接触となる非接触位置との間を往復動作する。
【００１５】
また、接極子１３１は、鉄心１３２の端面（鉄心面）に対して吸着離反する。具体的には、巻線１３３と接続された端子１７０に電圧が印加されることで電磁力が生じると、接極子１３１は鉄心面に吸着される。この結果、可動接点部１２０が接触位置に動作する。なお、可動接点部１２０が接触位置に動作すると、一方の端子１６０が、一方の固定接点及び可動接点、他方の可動接点及び固定接点を介して、他方の端子１６０と導通することとなる。
【００１６】
ヒンジばね１３５は、接極子１３１が鉄心面から離反する方向に接極子１３１を付勢する。なお、ヒンジばね１３５は、接極子１３１が鉄心面から離反する方向に接極子１３１を常に付勢しているため、端子１７０への電圧の印加が停止すると、ヒンジばねの付勢力によって接極子１３１は鉄心面から離反し、可動接点部１２０は非接触位置へと動作する。そして、次に端子１７０へ電圧が印加されるまでの間、可動接点部１２０の非接触位置が維持されることとなる。なお、ヒンジばね１３５の詳細構成は後述する。
【００１７】
消弧用ヨーク１３６は、可動接点と固定接点との接触位置の両側面に配置される。消弧用ヨーク１３６は、可動接点部１２０が接触位置から非接触位置へと動作する際に固定接点と可動接点との間で発生するアークを消弧するために配された、永久磁石（不図示）の磁力を強める役割を果たす。
【００１８】
＜２．ヒンジばねの構成＞
次にヒンジばね１３５の構成について説明する。図２は、ヒンジばね１３５の構成を示す図である。図２（ａ）、（ｂ）に示すように、ヒンジばね１３５は、電磁石装置１３０に固定される固定部２１０と、接極子１３１を付勢する力を提供する付勢部２２０とを有する。なお、図２（ａ）、（ｂ）の例では、ヒンジばね１３５の形状を説明する際の便宜上、ｘ、ｙ、ｚ軸を定義している。
【００１９】
図２（ａ）に示すように、固定部２１０は、ｚ軸方向に延びる部材２１１と２１２とを有する。
【００２０】
また、図２（ｂ）に示すように、付勢部２２０は、部材２１１よりｚ軸方向に延びる部材２２１と、部材２１２よりｚ軸方向に延びる部材２２２とを有する。また、付勢部２２０は、部材２２１の部材２１１が接続された側と反対側の端部を折り曲げ形成される、ｘ軸方向に延びる部材２２３と、部材２２２の部材２１２が接続された側と反対側の端部を折り曲げて形成されてｘ軸方向に延びる部材２２４とを有する。
【００２１】
更に、付勢部２２０は、一方が部材２２３の部材２２１が接続された側と反対側の端部と接続され、他方が部材２２４の部材２２２が接続された側と反対側の端部と接続された、ｙ軸方向に延びる部材２２５を有する。
【００２２】
付勢部２２０は、ｘ軸方向から見た場合及びｚ軸方向から見た場合に、ｙ軸方向の中心位置に対して左右対称となるように形成されている。
【００２３】
付勢部２２０の部材２２３、２２４には、第１の接触領域２３１と第２の接触領域２３２とが含まれ、部材２２５には、第３の接触領域２３３が含まれる。付勢部２２０は、第１の接触領域２３１、第２の接触領域２３２、第３の接触領域２３３において接極子１３１の一部と接触することで、接極子１３１を、鉄心面から離反する方向に付勢する。
【００２４】
このように、本実施形態のヒンジばね１３５の形状によれば、付勢部２２０は、複数の領域において接極子１３１と接触し、接極子１３１を付勢する。なお、ヒンジばね１３５の形状は図２のものに限定されず、少なくとも１つの接触領域において接極子１３１を付勢するように構成してもよい。つまり、第１の接触領域２３１、第２の接触領域２３２または第３の接触領域２３３のいずれか１つの接触領域のみを有する形状により構成してもよい。
【００２５】
また、ヒンジばねは１つの部品として構成されている必要はない。例えば、部材２１１と部材２２１、２２３を有するヒンジばねと、部材２１２と付勢部２２０の部材２２２、２２４とを有するヒンジばねとの２つの独立したヒンジばねを設けてもよい。
【００２６】
＜３．ヒンジばねの固定位置、付勢位置、付勢方向についての説明＞
次に、電磁石装置１３０におけるヒンジばね１３５の固定位置、ヒンジばね１３５の接極子１３１に対する付勢位置、付勢方向について説明する。
【００２７】
図３は、ヒンジばね１３５の固定位置、付勢位置、付勢方向について説明するための図である。なお、図３（ａ）の例では、固定位置、付勢位置、付勢方向の説明をし易くするために、固定接点部１１０、可動接点部１２０、ベースモールド１４０、底板１５０、端子１６０等を省略している。また、図３（ｂ）の例では、更に、ヒンジばね１３５を省略している。
【００２８】
図３（ａ）に示すように、ヒンジばね１３５の固定部２１０の部材２１１は、
・ｙ軸方向において、接極子１３１の側面の外側、かつ、
・ｘ軸方向において、接極子１３１が回転運動する際の支点（継鉄１３４の上端部）よりも鉄心面側、
に配された、図３に不図示の嵌合部に固定される。なお、図３の例では、ヒンジばね１３５の固定部２１０のうちの一方の部材２１１についてのみ図示しているが、他方の部材２１２についても、同様に、
・ｙ軸方向において、接極子１３１の側面の外側、かつ、
・ｘ軸方向において、接極子１３１が回転運動する際の支点（継鉄１３４の上端部）よりも鉄心面側、
に配された、不図示の嵌合部に固定される。
【００２９】
ヒンジばね１３５の付勢部２２０の第１の接触領域２３１、第２の接触領域２３２、第３の接触領域２３３は、ｘ軸方向において支点を挟んで鉄心面と反対側に位置する接極子の一部３１１〜３１３（図３（ｂ）参照）それぞれと接触する。これにより、付勢部２２０は、接極子の一部３１１〜３１３を矢印３０１方向に付勢する。この結果、電磁力が発生していない状態では、接極子１３１は鉄心面から離間し、可動接点と固定接点とは非接触の状態となる。
【００３０】
なお、ヒンジばね１３５の固定部２１０の部材２１１が固定される嵌合部を図４に示す。図４は、外カバーを取り外した状態の電磁継電器の側面図である。図４に示すように、ヒンジばね１３５の固定部２１０の部材２１１は継鉄１３４とベースモールド１４０との隙間に固定される。継鉄１３４とベースモールド１４０との隙間は、嵌合部４００として作用する。なお、ヒンジばね１３５の固定部２１０の部材２１２についても同様に、継鉄１３４とベースモールド１４０との隙間（図４において不図示）に固定される。
【００３１】
＜４．ヒンジばねの利点＞
次に、本実施形態に係るヒンジばね１３５を用いた場合の利点について説明する。図５は、本実施形態に係るヒンジばね１３５を用いた場合の利点を説明するための図である。なお、図５では、ヒンジばね１３５を用いた場合の利点を説明するために、図５（ａ）に、ヒンジばね１３５の側面図、及び接極子１３１の平面図及び側面図を図示している。一方、図５（ｂ）には、比較例のヒンジばねを接極子１３１を付勢するのに用いた場合の、ヒンジばねの側面図、及び接極子１３１の平面図及び側面図を図示している。
【００３２】
図５（ａ）に示すように、本実施形態の場合、ヒンジばね１３５の部材２１１は、ｙ軸方向において接極子１３１の側面の外側の固定位置４０１に配された嵌合部４００に固定される。同様に、部材２１２は、ｙ軸方向において接極子１３１の側面の外側の固定位置４０１’に配された嵌合部に固定される。このため、ヒンジばね１３５を電磁石装置１３０に取り付ける際に、固定部２１０が接極子１３１と干渉することはない。
【００３３】
これに対して、図５（ｂ）に示すヒンジばね４３５の場合、固定部４１０は、ｙ軸方向において接極子１３１の内側の固定位置４１１に配された嵌合部４４０に固定される。なお、嵌合部４４０は、ヒンジばね４３５の固定部４１０を固定する部材であり、ｙ軸方向において、接極子１３１の内側に配されている。このため、ヒンジばね４３５を電磁石装置に取り付ける際には、固定部４１０が接極子１３１と干渉する可能性があり、接極子１３１との干渉を避けながら、ヒンジばね４３５の取り付けを行う必要がある。
【００３４】
つまり、本実施形態に係るヒンジばね１３５では、図５（ｂ）のヒンジばね４３５に対して固定位置を変えることで（４１１→４０１、４０１’）、ヒンジばね１３５の電磁石装置１３０への取り付けを容易にしている。この結果、組み立て容易な電磁継電器を提供することが可能となる。
【００３５】
また、図５（ａ）に示すように、本実施形態に係るヒンジばね１３５の場合、固定部２１０の部材２１１は、ｘ軸方向において、支点よりも鉄心面側にある固定位置４０１で嵌合部４００に固定される。また、固定部２１０の部材２１２は、ｘ軸方向において、支点よりも鉄心面側にある固定位置４０１’で嵌合部（不図示）に固定される。このため、ヒンジばね１３５のばね長を長くすることができる。
【００３６】
これに対して、図５（ｂ）に示すヒンジばね４３５の場合、固定部４１０が、ｘ軸方向において、支点を挟んで鉄心面と反対側にある固定位置４１１で嵌合部４４０に固定される（継鉄１３４と可動接点部との間に固定される）。このため、ヒンジばね４３５のばね長を長くすることができない。
【００３７】
つまり、本実施形態に係るヒンジばね１３５では、図５（ｂ）のヒンジばね４３５に対して固定位置を変えることで（４１１→４０１、４０１’）、ヒンジばね１３５のばね長を長くしている。ヒンジばね１３５のばね長を長くした場合、ヒンジばね１３５製造時の製造誤差の許容範囲を広くすることができる。
【００３８】
＜５．ヒンジばねの取り付け方法＞
次に、ヒンジばね１３５の取り付け方法の詳細について説明する。図６は、ヒンジばね１３５の取り付け方法の詳細を説明するための図である。
【００３９】
図６（ａ）に示すように、本実施形態に係るヒンジばね１３５は、電磁石装置１３０に取り付けられるにあたり、接極子１３１が継鉄１３４に取り付けられている状態で接極子１３１の上方から下方（ｚ軸方向（マイナス側））に向かって移動する。ここで、図４に示したように嵌合部４００は、ヒンジばね１３５の固定部２１０の部材２１１、２１２をｚ軸方向に嵌合するように形成されている。このため、電磁継電器１００の組み立て作業において作業者は、ヒンジばね１３５を接極子１３１の上方から下方に向かって移動させることで、ヒンジばね１３５の固定部２１０の部材２１１、２１２を嵌合部に固定させることができる。
【００４０】
なお、上述した通り、嵌合部４００等は、ｙ軸方向において接極子１３１の側面の外側に設けられているため、作業者がヒンジばね１３５を接極子１３１の上方から下方に移動させた際に、ヒンジばね１３５の固定部２１０と接極子１３１とが干渉することはない。
【００４１】
また、図６（ｂ）は、ヒンジばね１３５を取り付けた様子を上方から見た場合の平面図を示している。図６（ｂ）に示すように、ヒンジばね１３５の付勢部２２０のうち、ｘ軸方向及びｙ軸方向に延びる部材２２３〜２２５は、下記の条件を満たすような形状を有している。
・ヒンジばね１３５が取り付けられた状態で、第１乃至第３の接触領域２３１〜２３３が接極子１３１の一部３１１〜３１３とそれぞれ接触する。
・ヒンジばね１３５の取り付け時及び取り付け後において、第１乃至第３の接触領域２３１〜２３３以外の領域が接極子１３１と接触することがない。
【００４２】
つまり、ヒンジばね１３５をｚ軸方向（マイナス側）に移動させた場合に、ヒンジばね１３５の付勢部２２０と接極子１３１とが、第１乃至第３の接触領域２３１〜２３３以外の領域において干渉することがないように、付勢部２２０の平面形状が形成されている。
【００４３】
換言すると、付勢部２２０においてｘ軸方向及びｙ軸方向に延びる部材２２３〜２２５のうち、第１乃至第３の接触領域２３１〜２３３以外の領域は、接極子１３１の平面形状の外形（上方からみた場合の外形）に沿った平面形状を有している。
【００４４】
このため、ヒンジばね１３５の固定部２１０を嵌合部４００等に容易に嵌合させることができる。つまり、ヒンジばね１３５の電磁石装置１３０への取り付けが容易になる。
【００４５】
＜６．ヒンジばねの詳細形状＞
次に、ヒンジばねの詳細形状について説明する。図７は、ヒンジばね１３５の詳細形状を説明するための図である。
【００４６】
図７（ａ）は、ヒンジばね１３５を正面から見た場合の正面図を、図７（ｂ）は、ヒンジばね１３５を横から見た場合の側面図を、それぞれ示している。
【００４７】
図７（ａ）に示すように、固定部２１０の部材２１１、２１２の幅は付勢部２２０の部材２２１、２２２の幅よりも広く形成されており、部材２１１、２１２には、ｙ軸方向に肩部６０１が形成されている。このため、電磁継電器１００の組み立て作業において、作業者は、ヒンジばね１３５の固定部２１０を嵌合部４００等に嵌合させるにあたり、ｚ軸方向に肩部６０１、６０２を押圧することが可能になる。つまり、ヒンジばね１３５の固定部２１０を嵌合部４００等に嵌合させるにあたり、作業者は付勢部２２０の部材２２３〜２２５等をｚ軸方向に押圧する必要がない。このため、ヒンジばね１３５の取り付け時に付勢部２２０が変形してしまうといった不具合が生じることがなくなり、作業者はヒンジばね１３５の取り付けを容易に行うことができるようになる。
【００４８】
なお、図７（ｂ）に示すように、固定部２１０の部材２１１、２１２には、嵌合部４００等に嵌合する際の嵌合方向（ｚ軸方向（マイナス側））と反対方向（ｚ軸方向（プラス側））の動きを規制する切り起こし部６１１、６１２が設けられている。このうち、切り起こし部６１２は、ｘ軸方向（プラス側）に切り起こされている。切り起こし部６１２は、嵌合部４００等に嵌合する際の嵌合方向（ｚ軸方向（マイナス側））と反対方向（ｚ軸方向（プラス側））の力が固定部２１０に加わった場合に、その先端を嵌合部４００等に引っ掛ける役割を果たす。これにより、切り起こし部６１２では、ヒンジばね１３５の固定部２１０が嵌合部４００等から抜けるのを防止することができる。
【００４９】
図８は、ヒンジばね１３５の固定部２１０を嵌合部４００に嵌合させた様子を示す図である。図８に示すように、切り起こし部６１２の先端は、継鉄１３４に形成された突起１３４ａ（図３（ｂ）参照）の下端引っ掛かる。このため、ヒンジばね１３５の嵌合方向（ｚ軸方向（マイナス側））と反対の方向（ｚ軸方向（プラス側））の力が固定部２１０に加わった場合でも、ヒンジばね１３５の固定部２１０が嵌合部４００から抜けることはない。
【００５０】
一方、切り起こし部６１１は、ｘ軸方向（マイナス側）に切り起こされている。切り起こし部６１１は、嵌合部４００等をｘ軸方向（マイナス側）に押圧するため、嵌合部４００等より力を受ける。つまり、ヒンジばね１３５の付勢部２２０は、ｘ軸方向（プラス側）に付勢されるため、切り起こし部６１１がない場合と比較して、ヒンジばね１３５が接極子１３１を付勢する際の力を強化させることができる。
【００５１】
図８に示すように、切り起こし部６１１は、ベースモールド１４０の斜面８００に接触する。切り起こし部６１１がばね性を有するため、斜面８００に接した切り起こし部６１１は、ヒンジばね１３５の付勢部２２０をｘ軸方向（プラス側）に付勢する。
【００５２】
＜７．まとめ＞
以上の説明から明らかなように、本実施形態に係る電磁継電器では、
・ヒンジばねの固定部を、接極子の側面の外側であって、接極子が回転運動する際の支点よりも鉄心面側に固定するようにヒンジばねを形成した。
・ヒンジばねを接極子の上方から下方に移動させることでヒンジばねが電磁石装置に取り付けられるように、嵌合部の嵌合方向を、ヒンジばね取り付け時のヒンジばねの移動方向と一致させた。
・ヒンジばねの取り付けに際して、ヒンジばねの付勢部が接極子と干渉することがないよう、ヒンジばねの付勢部の平面形状を接極子の平面形状に則した形状にした。
【００５３】
これにより、ヒンジばねの電磁石装置への取り付けが容易となり、電磁継電器の組み立て性を向上させることが可能となる。
【００５４】
更に、ヒンジばねのばね長をより長くすることが可能となり、ヒンジばねの製造誤差の許容範囲を拡げることが可能となる。
【００５５】
［第２の実施形態］
上記第１の実施形態では、ヒンジばね１３５の固定部２１０を、嵌合部４００に嵌合させる場合の嵌合深さを一定としたが、本発明はこれに限定されず、嵌合深さを任意に変更可能な構成としてもよい。嵌合深さを変更することで、ヒンジばね１３５が接極子１３１を付勢する際の付勢力を微調整することができるからである。
【００５６】
なお、嵌合部４００に嵌合させる場合の嵌合深さは、例えば、ヒンジばね１３５の固定部２１０の部材２１１または２１２と同様の厚さ及び幅を有する金属片を、嵌合部４００等に挿入することで調整することができる。特に、高さの異なる複数の金属片があれば、嵌合深さを微調整することもできる。
【００５７】
上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００５８】
１００                  ：電磁継電器
１１０                  ：固定接点部
１１１                  ：固定接点ばね
１１２                  ：固定接点
１２０                  ：可動接点部
１２１                  ：可動接点ばね
１２２                  ：可動接点
１３０                  ：電磁石装置
１３１                  ：接極子
１３２                  ：鉄心
１３３                  ：巻線
１３４                  ：継鉄
１３５                  ：ヒンジばね
１３６                  ：消弧用ヨーク
１３７                  ：保持部材
１４０                  ：ベースモールド
１５０                  ：底板
１６０                  ：端子
１７０                  ：端子
２１０                  ：固定部
２２０                  ：付勢部
２３１                  ：第１の接触領域
２３２                  ：第２の接触領域
２３４                  ：第３の接触領域
４００                  ：嵌合部
４０１                  ：固定位置
４０１’                ：固定位置
６０１                  ：肩部
６０２                  ：肩部
６１１                  ：切り起こし部
６１２                  ：切り起こし部
【図１】
0006327992.tif 000002
【図２】
0006327992.tif 000003
【図３】
0006327992.tif 000004
【図４】
0006327992.tif 000005
【図５】
0006327992.tif 000006
【図６】
0006327992.tif 000007
【図７】
0006327992.tif 000008
【図８】
0006327992.tif 000009